(57)【要約】【課題】  歪み補償部自身が持つ入出力特性の影響を低減して、増幅回路に対し正確なレベルのベースバンド信号を入力できるようにする。【解決手段】  入力信号電力測定部１０８により歪み補償部１０２に入力される前の送信ベースバンド信号１０１の電力レベルを検出すると共に、歪み補償後信号電力測定部１０９により歪み補償部１０２により歪み補償された後の送信ベースバンド信号１０３の電力レベルを検出する。そして、ＬＵＴゲイン調整部１１１において、上記検出された各電力レベルの電力比率又は差分値をもとに調整値を生成して、この生成された調整値をＬＵＴ制御部１１０から出力される制御値に加算し、この調整値が加算された制御値に対応する補償データをＬＵＴ１１２から読み出して歪み補償部１０２に与える。【選択図】      図１
2010004362.tif 000002
【特許請求の範囲】
【請求項１】
入力された送信信号を増幅して出力する増幅回路と、
前記増幅回路が有する非線形特性に対し逆特性となる歪み補償特性を表す補償データを記憶した歪み補償テーブルと、
前記歪み補償テーブルから読み出される補償データに応じて前記送信信号の信号特性を補償し、この信号特性が補償された送信信号を前記増幅回路に入力する歪み補償回路と、
前記増幅回路から出力された送信信号の一部を帰還信号として受け取ってこの帰還信号から前記増幅回路の歪み量を検出する第１の検出手段と、
前記歪み補償回路に入力される前の送信信号と当該歪み補償回路により信号特性が補償された後の送信信号との間の信号レベルの差を表す情報を検出する第２の検出手段と、
前記第１の検出手段により検出された増幅回路の歪み量と、前記第２の検出手段により検出された送信信号レベルの差を表す情報に基づいて、前記歪み量を減少させかつ前記送信信号レベルの差を減少させるべく前記歪み補償テーブルから読み出される補償データを制御する制御手段と
を備えることを特徴とする歪み補償機能を備えた増幅装置。
【発明の詳細な説明】
【技術分野】
【０００１】
この発明は、例えば移動通信用の基地局装置で使用される送信増幅装置に係わり、特に増幅回路で発生する非線形歪みを補償する機能を備えた増幅装置に関する。
【背景技術】
【０００２】
例えば、無線アクセス方式として広帯域符号分割多元接続（Wide-band Code Division Multiple Access；Ｗ−ＣＤＭＡ）方式を採用した移動通信システムに備えられた基地局装置では、物理的に遠く離れた移動局装置に無線信号を到達させる必要があるため、送信信号を電力増幅回路で大幅に増幅することが必要となる。しかしながら、電力増幅回路はアナログデバイスであるため、その入出力特性は非線形な関数となる。特に、飽和点と呼ばれる増幅限界を超える領域では、入力信号レベルが増加しても出力電力はほぼ一定となり、この非線形特性の影響により増幅後の送信信号には非線形歪みが発生する。
【０００３】
増幅前の送信信号に対しては、増幅回路の前段に帯域制限フィルタを配置することで、希望信号帯域外の信号成分を低レベルに抑圧することが可能である。しかし、増幅回路から出力される送信信号に先に述べた非線形歪みが発生すると、希望信号帯域外、つまり隣接チャネルに対し信号電力が漏洩して隣接チャネル間干渉を招く。特に、基地局装置では先に述べたように送信電力が高いため、上記隣接チャネルへの信号電力の漏洩は厳しく規制されている。このため、隣接チャネルへの漏洩電力を制限するかが大きな課題となっている。
【０００４】
そこで、基地局用の送信増幅装置には一般に歪み補償回路が設けられており、最近では増幅効率を重要視してフィードフォワード型のプリディストーション方式を採用した歪み補償回路が主流になりつつある。プリディストーション方式は、増幅回路の非線形特性であるＡＭ−ＡＭ変換、ＡＭ−ＰＭ変換の逆特性を増幅回路に入力される送信信号に予め与えることにより、増幅回路の出力信号の非線形歪みを補償する方式である。逆特性を与える方式の１つとして歪み補償テーブル（Look Up Table；ＬＵＴ）を使用する方式がある（例えば、特許文献１を参照。）。
【０００５】
図６は、ＬＵＴを用いたディジタル・プリディストーション（ＤＰＤ）方式を採用した歪み補償部の構成の一例を示したものである。この歪み補償部（ＤＰＤ処理回路）１０は、先ず増幅回路１４の出力信号１５の一部を帰還して歪み検出部１７で上記出力信号１５に含まれる歪み量を検出する。そして、ＬＵＴ制御部２１において、上記歪み量の検出値と入力ベースバンド信号１１の振幅とをもとにＬＵＴ２２の歪み補償特性を更新し、この更新された歪み補償特性に基づいて歪み補償部１２により入力ベースバンド信号１１の振幅及び位相を制御するものである。なお、上記歪み補償部１２により振幅及び位相が制御された歪み補償後のベースバンド信号１３は、図示しない周波数変換器により無線周波数にアップコンバートされたのち上記増幅回路１４に入力される。
【特許文献１】特開２００６−１６５８５６号公報、図１０
【発明の開示】
【発明が解決しようとする課題】
【０００６】
ところが、歪み補償部１２自身が持つ入出力特性の影響により、歪み補償部１２に入力されたベースバンド信号１１のレベルが歪み補償部１２の出力後に変動することがある。このため、歪み補償部１２に入力される前のベースバンド信号１１のレベルが増幅回路１４に正確に入力されず、この結果増幅回路１４により増幅された後の出力信号１５のレベルが期待する本来の値とは異なるレベルになってしまうと云う問題点があった。
【０００７】
この発明は上記事情に着目してなされたもので、その目的とするところは、歪み補償部自身が持つ入出力特性の影響を低減して、増幅回路に対し正確なレベルのベースバンド信号を入力できるようにした非線形歪みを補償する機能を備えた増幅装置を提供することにある。
【課題を解決するための手段】
【０００８】
上記目的を達成するためにこの発明の一観点は、送信信号を増幅して出力する増幅回路と、この増幅回路が有する非線形特性に対し逆特性となる歪み補償特性を表す補償データを記憶した歪み補償テーブルと、上記歪み補償テーブルから読み出される補償データに応じて上記送信信号の信号特性を補償し、この信号特性が補償された送信信号を上記増幅回路に入力する歪み補償部と、上記増幅回路から出力された送信信号の一部を帰還信号として受け取ってこの帰還信号から上記増幅回路の歪み量を検出する第１の検出手段と、上記歪み補償部に入力される前の送信信号と当該歪み補償部により信号特性が補償された後の送信信号との間の信号レベルの差を表す情報を検出する第２の検出手段と、上記補償テーブルの制御手段とを備える。そして、この制御手段により、上記第１の検出手段により検出された増幅回路の歪み量と、上記第２の検出手段により検出された送信信号レベルの差を表す情報に基づいて、上記歪み量を減少させかつ上記送信信号レベルの差を減少させるべく、上記歪み補償テーブルから読み出される補償データを制御するように構成したものである。
【発明の効果】
【０００９】
したがって、この発明の一観点によれば、歪み補償テーブルから読み出される補償データは、第１の検出手段により検出された増幅回路の歪み量に加え、第２の検出手段により検出された歪み補償部の入出力間における送信信号レベルの差を表す情報が考慮されて制御される。このため、歪み補償部自身が持つ入出力特性の影響により、歪み補償部に入力された送信信号のレベルが歪み補償後に変動するような場合でも、この変動成分は上記補償データにより補償される。したがって、増幅回路には常に上記歪み補償部に入力される前の送信信号と同レベルの歪み補償後の送信信号が入力されることになり、これにより増幅回路から出力される送信信号レベルを常に期待するレベルに保持することが可能となる。
【００１０】
すなわち、この発明の一観点によれば、歪み補償部自身が持つ入出力特性の影響を低減して、増幅回路に対し正確なレベルのベースバンド信号を入力できるようにした非線形歪みを補償する機能を備えた増幅装置を提供することができる。
【発明を実施するための最良の形態】
【００１１】
以下、図面を参照してこの発明の実施形態を説明する。  
（第１の実施形態）  
この発明の第１の実施形態に係わる増幅装置は、例えばＷｉＭＡＸ（Worldwide Interoperability for Microwave Access）又はＬＴＥ（Long Term Evolution）用の基地局装置の送信系に設けられる。
【００１２】
基地局装置は、基地局本体と、増幅装置と、複数のアンテナとを備える。基地局本体は、自局がカバーする通信エリアに存在する各移動局との間の通信を制御する。増幅装置は、通信ユニットと、増幅回路と、これらの通信ユニットと増幅回路との間に設けられる歪み補償ユニットとを備える。通信ユニットは、基地局本体から出力されたベースバンド送信データに対し符号化処理及び変調処理を行って、Ｉ相，Ｑ相のベースバンド信号を出力する。増幅回路は、例えば複数の増幅素子の出力を合成するドハーティ増幅器（Doherty Amplifier）により構成される。
【００１３】
さて、歪み補償ユニットは、増幅回路で発生する非線形歪みを補償する機能を有するもので、例えば次のように構成される。図１はこの歪み補償ユニット及び増幅回路の構成を示す機能ブロック図である。  
すなわち、歪み補償ユニットは、歪み補償テーブルを用いたディジタル・プリディストーション（ＤＰＤ）処理部１００からなり、歪み補償部１０２と、歪み補償テーブル（Look up Table；ＬＵＴ）１１２と、歪み検出部１０７と、歪み補償テーブル制御部（ＬＵＴ制御部）１１０とを備え、さらに入力信号電力測定部１０８と、歪み補償後信号電力測定部１０９と、ＬＵＴゲイン調整部１１１とを備えている。
【００１４】
歪み補償部１０２は減衰器及び移相器を有し、この減衰器及び移相器により、図示しない通信ユニットから出力されたＩ相，Ｑ相の送信ベースバンド信号（入力信号）１０１の振幅及び位相を可変する。そして、この振幅及び位相が可変された送信ベースバンド信号（歪み補償後信号）１０３を出力する。この歪み補償後信号１０３は、図示しない周波数変換器により無線周波数にアップコンバートされたのち増幅回路１０４に入力される。増幅回路１０４は、上記入力された歪み補償後信号を電力増幅して、増幅された無線送信信号１０５を出力する。
【００１５】
ＬＵＴ１１２は、ハードウエアとして例えば１０ビットのアドレス空間を持つメモリにより構成され、このメモリには増幅回路１０４の非線形特性であるＡＭ−ＡＭ変換、ＡＭ−ＰＭ変換を補償するための歪み補償特性を表す補償データが、送信ベースバンド信号（入力信号）１０１の種々の入力レベルの各々に対応付けて記憶される。歪み補償特性は、増幅回路１０４で発生する非線形特性の逆特性となるように設定され、その補償データは振幅補償データと位相補償データとから構成される。
【００１６】
ＬＵＴ１１２は、後述する入力信号電力測定部１０８により得られる入力信号１０１の電力検出値と、後述するＬＵＴゲイン調整部１１１から出力される制御値がアドレスとして与えられたとき、上記入力信号１０１の電力検出値に対応する補償データであってかつ上記制御値に対応する振幅補償データ及び位相補償データを読み出して上記歪み補償部１０２の減衰器及び移相器に与え、これにより減衰量及び位相量を制御する。
【００１７】
歪み検出部１０７は、例えば増幅回路１０４から出力された無線送信信号１０５の帯域外歪み電力を帰還信号として取り込んでその電力値を検出するもので、例えば以下のように構成される。すなわち、先ず増幅回路１０４から出力された無線送信信号１０５の一部をミキサで搬送波信号と混合して周波数をダウンコンバートしたのち、バンドパスフィルタに通す。そして、その出力信号を周波数変換器によりＡ／Ｄ変換に適した周波数にさらにダウンコンバートしてＡ／Ｄ変換器によりディジタル信号に変換し、このディジタル信号を上記増幅回路１０４で発生した非線形歪みを表す値（歪み量）としてＬＵＴ制御部２４に入力する。
【００１８】
ＬＵＴ制御部１１０は、例えばＣＰＵ（Central Processing Unit）にソフトウエアを実行させることにより実現されるもので、増幅回路１０４で発生する歪み量の検出値を上記歪み検出部１０７から受け取ると、この受け取った歪み量の検出値を零に近づけるための制御値を生成し、この生成した制御値を後述するＬＵＴゲイン調整部１１１へ出力する。
【００１９】
入力信号電力測定部１０８は、図示しない通信ユニットから出力された送信ベースバンド信号（入力信号）１０１の電力レベルを検出するもので、その電力検出値を上記ＬＵＴ１１２及びＬＵＴゲイン調整部１１１に与える。  
歪み補償後信号電力測定部１０９は、上記歪み補償部１０２から出力される歪み補償後の送信ベースバンド信号１０３の電力レベルを検出するもので、その電力検出値を上記ＬＵＴゲイン調整部１１１に与える。  
なお、上記入力信号電力測定部１０８及び歪み補償後信号電力測定部１０９は、電力レベルを検出する代わりに、振幅レベル或いはその対数値を検出するようにそれぞれ構成してもよい。
【００２０】
ＬＵＴゲイン調整部１１１は、前記ＬＵＴ制御部１１０と同様にＣＰＵにソフトウエアを実行させることにより実現されるもので、上記入力信号電力測定部１０８から与えられた送信ベースバンド信号（入力信号）１０１の電力検出値と、歪み補償後信号電力測定部１０９から与えられた歪み補償後信号１０３の電力検出値との間の差を表す情報を算出する。差を表す情報としては、例えば電力比率又は差分値が用いられる。そして、この算出された電力検出値間の比率又は差分値を予め設定したしきい値と比較し、当該しきい値を超えているか否かを判定する。この判定の結果、電力検出値間の比率又は差分値がしきい値を超えていると判定された場合に、当該電力検出値間の比率又は差分値に基づいて設定した調整値を上記ＬＵＴ制御部１１０から出力された制御値に加算し、この調整値が加算された後の制御値を上記ＬＵＴ１１２にアドレスの一部として与える。
【００２１】
次に、以上のように構成された増幅装置における歪み補償動作を説明する。図２はＬＵＴ制御部１１０及びＬＵＴゲイン調整部１１１の処理手順と処理内容を示すフローチャートである。  
基地局の運用開始又は再起動に伴い増幅装置が起動されると、通信ユニットから出力されたＩ相，Ｑ相のベースバンド信号（入力信号）１０１は歪み補償部１０２で歪み補償され、さらに図示しない周波数変換器で無線周波数にアップコンバートされた後、増幅回路１０４で増幅されて図示しないアンテナから送信される。
【００２２】
上記送信動作が開始されると、歪み検出部１０７により、上記増幅回路１０４から出力された無線送信信号（出力信号）１０５の一部が取り込まれ、その帯域外の歪み電力値が上記増幅回路１０４で発生する歪み量として検出される。ＬＵＴ制御部１１０は、ステップＳ２１により上記歪み検出部１０７において得られた歪み量の検出値を取り込み、この取り込んだ歪み量の検出値に基づいて当該歪み量を低減するための制御値をステップＳ２２により生成する。そして、この生成した制御値をステップＳ２３によりＬＵＴゲイン制御部１１１へ出力する。
【００２３】
また、上記送信動作が開始されると、歪み補償部１０２に入力される前の送信ベースバンド信号（入力信号）１０１の電力レベルが入力信号電力測定部１０８で検出され、また歪み補償部１０２により歪み補償された後の送信ベースバンド信号１０３の電力レベルが歪み補償後信号電力測定部１０９により検出される。ＬＵＴゲイン調整部１１１は、先ずステップＳ３１，Ｓ３２においてそれぞれ、上記入力信号電力測定部１０８から歪み補償前の送信ベースバンド信号１０１の電力検出値を、また歪み補償後信号電力測定部１０９から歪み補償後の送信ベースバンド信号１０３の電力検出値を取り込む。そして、ステップＳ３３において、上記取り込んだ電力検出値間の電力比率又は差分値を算出する。
【００２４】
次にＬＵＴゲイン調整部１１１は、ステップＳ３４により上記ＬＵＴ制御部１１０から出力された制御値を取り込んだのち、上記算出された電力比率又は差分値を予め設定したしきい値とステップＳ３５において比較する。この比較の結果、上記算出された電力比率又は差分値がしきい値より大きければ、歪み補償部１０２における信号減衰が大きいと判断し、ステップＳ３６により上記電力比率又は差分値に基づいて当該電力比率又は差分値をしきい値以下に減少させるための調整値を生成する。そして、ステップＳ３７において、上記生成された調整値を上記ＬＵＴ制御部１１０から出力された制御値に加算し、この調整値が加算された制御値をステップＳ３８によりＬＵＴ１１２に対しアドレスとして与える。
【００２５】
したがって、ＬＵＴ１１２からは、上記調整値が加算された制御値によりアドレス指定された領域から補償データが読み出され、この補償データが歪み補償部１０２に与えられる。この結果歪み補償部１０２では、上記調整値が加算された制御値に対応する補償データに基づいて、送信ベースバンド信号１０１の振幅及び位相が可変制御される。すなわち、歪み補償部１０２では、歪み補償部１０２自身による信号減衰分を考慮した歪み補償が行われる。
【００２６】
これに対し、上記ステップＳ３３により算出された電力比率又は差分値がしきい値以下だったとする。この場合ＬＵＴゲイン調整部１１１は、歪み補償部１０２における信号減衰は小さいと判断し、ステップＳ３５からステップＳ３８に移行して、ＬＵＴ制御部１１０から出力された制御値をそのままＬＵＴ１１２にアドレスとして与える。したがって、この場合ＬＵＴ１１２からは、上記調整値が加算されない制御値によりアドレス指定された領域から補償データが読み出され、この補償データが歪み補償部１０２に与えられる。このため果歪み補償部１０２では、上記制御値に対応する補償データに基づいて送信ベースバンド信号１０１の振幅及び位相が可変制御される。
【００２７】
以後、送信動作中においては、上記歪み補償動作が一定の時間間隔で繰り返し行われる。図３は、ＬＵＴゲイン調整部１１１から出力される制御値の一例を示すものである。同図において、図中Ａは歪み補償部１０２の入出力間における送信ベースバンド信号の減衰量がしきい値以下の場合の制御値を示し、また図中Ｂは歪み補償部１０２の入出力間における送信ベースバンド信号の減衰量がしきい値を超えている場合の制御値を示している。同図に示すように、歪み補償部１０２の入出力間における送信ベースバンド信号の減衰量がしきい値を超えている状態では、ＬＵＴ制御部１１０から出力される制御値に調整値Ｗが加算される。
【００２８】
以上述べたように第１の実施形態では、入力信号電力測定部１０８により歪み補償部１０２に入力される前の送信ベースバンド信号１０１の電力レベルを検出すると共に、歪み補償後信号電力測定部１０９により歪み補償部１０２により歪み補償された後の送信ベースバンド信号１０３の電力レベルを検出する。そして、ＬＵＴゲイン調整部１１１において、上記検出された各電力レベルの電力比率又は差分値をもとに調整値を生成して、この生成された調整値をＬＵＴ制御部１１０から出力される制御値に加算し、この調整値が加算された制御値に対応する補償データをＬＵＴ１１２から読み出して歪み補償部１０２に与えるようにしている。
【００２９】
したがって、ＬＵＴ１１２から読み出される補償データは、入力信号電力測定部１０８により検出された歪み補償部１０２に入力される前の送信ベースバンド信号１０１の電力レベルと、歪み補償後信号電力測定部１０９により検出された歪み補償後の送信ベースバンド信号１０３の電力レベルの電力比率又は差分値をもとに補正される。このため、歪み補償部１０２自身が持つ入出力特性の影響により、歪み補償部１０２に入力された送信信号のレベルが歪み補償後に変動するような場合でも、この変動成分は上記補償データにより補償される。したがって、歪み補償部１０２からは歪み補償前の送信ベースバンド信号１０１の電力レベルを保持した送信ベースバンド信号１０３が出力されることになり、これにより増幅回路１０４から出力される無線送信信号の電力を常に期待する値に設定することが可能となる。  
また、第１の実施形態では、ＬＵＴゲイン調整部１１１をＬＵＴ制御部１１０とは別個に設けているので、既存のＬＵＴ制御部１１０を変更することなく補償データの調整を行える利点がある。
【００３０】
（第２の実施形態）  
図４は、この発明の第２の実施形態に係わる送信増幅装置の構成を示す機能ブロック図である。なお、同図において前記図１と同一部分には同一符号を付して詳しい説明は省略する。  
ＤＰＤ処理部２００には、ＬＵＴ制御部＆ＬＵＴゲイン調整部２１０が設けてある。このＬＵＴ制御部＆ＬＵＴゲイン調整部２１０は、１個のＣＰＵ（Central Processing Unit）を備え、このＣＰＵにソフトウエアを実行させることによりＬＵＴ制御機能とＬＵＴゲイン調整機能の両方を実現する。
【００３１】
このような構成であるから、ＤＰＤ処理部２００では以下のような歪み補償制御が行われる。図５は、ＬＵＴ制御部＆ＬＵＴゲイン調整部２１０による制御手順と制御内容を示すフローチャートである。  
すなわち、上記送信動作が開始されると、歪み検出部１０７により、上記増幅回路１０４から出力された無線送信信号（出力信号）１０５の一部が取り込まれ、その帯域外の歪み電力値が上記増幅回路１０４で発生する歪み量として検出される。ＬＵＴ制御部＆ＬＵＴゲイン調整部２１０は、ステップＳ４１により上記歪み検出部１０７において得られた歪み量の検出値を取り込む。そして、ステップＳ４２において、上記取り込んだ歪み量の検出値に基づいて当該歪み量を低減するための制御値を生成する。
【００３２】
また、それと並行して、歪み補償部１０２に入力される前の送信ベースバンド信号１０１の電力レベルが入力信号電力測定部１０８で検出され、また歪み補償部１０２により歪み補償された後の送信ベースバンド信号１０３の電力レベルが歪み補償後信号電力測定部１０９により検出される。ＬＵＴ制御部＆ＬＵＴゲイン調整部２１０は、ステップＳ４３，Ｓ４４においてそれぞれ、上記入力信号電力測定部１０８から歪み補償前の送信ベースバンド信号１０１の電力検出値を、また歪み補償後信号電力測定部１０９から歪み補償後の送信ベースバンド信号１０３の電力検出値を取り込む。そして、ステップＳ４５において、上記取り込んだ電力検出値間の電力比率又は差分値を算出する。
【００３３】
続いてＬＵＴ制御部＆ＬＵＴゲイン調整部２１０は、ステップＳ４６において、上記算出された電力比率又は差分値を予め設定したしきい値と比較する。この比較の結果、上記算出された電力比率又は差分値がしきい値より大きければ、歪み補償部１０２における信号減衰が大きいと判断し、ステップＳ４７により上記電力比率又は差分値に基づいて当該電力比率又は差分値をしきい値以下に減少させるための調整値を生成する。そして、ステップＳ４８において、上記生成された調整値を先にステップＳ４２により生成された制御値に加算し、この調整値が加算された制御値をステップＳ４８によりＬＵＴ１１２に対しアドレスとして与える。
【００３４】
したがって、ＬＵＴ１１２からは、上記調整値が加算された制御値によりアドレス指定された領域から補償データが読み出され、この補償データが歪み補償部１０２に与えられる。このため歪み補償部１０２では、上記調整値が加算された制御値に対応する補償データに基づいて、送信ベースバンド信号１０１の振幅及び位相が可変制御される。すなわち、歪み補償部１０２では、歪み補償部１０２自身による信号減衰分を考慮した歪み補償が行われる。
【００３５】
これに対し、上記ステップＳ４５により算出された電力比率又は差分値がしきい値以下だったとする。この場合ＬＵＴ制御部＆ＬＵＴゲイン調整部２１０は、歪み補償部１０２における信号減衰は小さいと判断し、ステップＳ４６からステップＳ４９に移行し、ここで先にステップＳ４２により生成された制御値をそのままＬＵＴ１１２にアドレスとして与える。したがって、この場合ＬＵＴ１１２からは、上記調整値が加算されない制御値によりアドレス指定された領域から補償データが読み出され、この補償データが歪み補償部１０２に与えられる。この結果歪み補償部１０２では、上記制御値に対応する補償データに基づいて送信ベースバンド信号１０１の振幅及び位相が可変制御される。  
以後、送信動作中においては、上記歪み補償動作が一定の時間間隔で繰り返し行われる。
【００３６】
以上述べたように第２の実施形態では、ＬＵＴ制御部＆ＬＵＴゲイン調整部２１０において、歪み検出部１０７により検出された増幅回路１０４の歪み量をもとに当該歪み量を低減するための制御値が生成されると共に、歪み補償部１０２に入力される前の送信ベースバンド信号１０１の電力レベルと歪み補償後の送信ベースバンド信号１０３の電力レベルとの間の電力比率又は差分値をもとに調整値を生成する。そして、上記電力比率又は差分値がしきい値より大きい場合に、上記生成された調整値を上記制御値に加算してＬＵＴ１１２に与えるようにしている。
【００３７】
したがって、前記第１の実施形態と同様に、ＬＵＴ１１２から読み出される補償データは、歪み補償部１０２に入力される前の送信ベースバンド信号１０１の電力レベルと、歪み補償後の送信ベースバンド信号１０３の電力レベルとの間の電力比率又は差分値をもとに調整される。このため、歪み補償部１０２自身が持つ入出力特性の影響により、歪み補償部１０２に入力された送信ベースバンド信号１０１の電力レベルが歪み補償後に変動するような場合でも、この変動成分は上記補償データにより補償される。したがって、歪み補償部１０２からは歪み補償前の送信ベースバンド信号１０１の電力レベルを保持した送信ベースバンド信号１０３が出力されることになり、これにより増幅回路１０４から出力される無線送信信号の電力を常に期待する値に設定することが可能となる。  
また第２の実施形態では、ＬＵＴ制御機能とＬＵＴゲイン調整機能の両方をＬＵＴ制御部＆ＬＵＴゲイン調整部２１０により実現するようにしている。このため、１個のＣＰＵを設けるだけでよく、これによりハードウエア構成を簡単小型化できる利点がある。
【００３８】
（その他の実施形態）  
上記各実施形態ではベースバンド周波数からなるＩ，Ｑの複素信号に対しプリディストーション処理を行う場合、つまりカーテシアン型負帰還回路を用いた場合を例にとって説明したが、無線周波数からなる送信信号に対しプリディストーション処理を行う場合にも、この発明は適用可能である。
【００３９】
また、ＬＵＴ制御部及びＬＵＴゲイン調整部はハードウエアにより構成してもよい。その他、ＤＰＤ処理回路の構成、歪み検出部、ＬＵＴ制御部及びＬＵＴゲイン調整部による処理手順と処理内容等についても、この発明の要旨を逸脱しない範囲で種々変形して実施できる。
【００４０】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００４１】
【図１】この発明の第１の実施形態に係わる送信増幅装置の要部である歪み補償ユニット（ＤＰＤ処理回路）及びアナログ処理ユニットの構成を示すブロック図である。
【図２】図１に示したＤＰＤ処理回路のＬＵＴ制御部及びＬＵＴゲイン調整部の処理手順及び処理内容を示すフローチャートである。
【図３】図１に示したＤＰＤ処理回路のＬＵＴ制御部及びＬＵＴゲイン調整部の処理内容を説明するための特性図である。
【図４】この発明の第２の実施形態に係わる送信増幅装置の要部である歪み補償ユニット（ＤＰＤ処理回路）及びアナログ処理ユニットの構成を示すブロック図である。
【図５】図４に示したＤＰＤ処理回路のＬＵＴ制御部＆ＬＵＴゲイン調整部の処理手順及び処理内容を示すフローチャートである。
【図６】従来の一般的な歪み補償機能を備えた送信増幅装置の構成を示すブロック図である。
【符号の説明】
【００４２】
１００，２００…歪み補償ユニット（ＤＰＤ処理部）、１０１…歪み補償部に入力される前の送信ベースバンド信号（入力信号）、１０２…歪み補償部、１０３…歪み補償後の送信ベースバンド信号、１０４…増幅回路、１０５…増幅回路から出力される無線送信信号（出力信号）、１０６…帰還信号、１０７…歪み検出部、１０８…入力信号電力測定部、１０９…歪み補償後信号電力測定部、１１０…ＬＵＴ制御部、１１１…ＬＵＴゲイン調整部、１１２…歪み補償テーブル（ＬＵＴ）、２１０…ＬＵＴ制御部＆ＬＵＴゲイン調整部。
【図１】
2010004362.tif 000003
【図２】
2010004362.tif 000004
【図３】
2010004362.tif 000005
【図４】
2010004362.tif 000006
【図５】
2010004362.tif 000007
【図６】
2010004362.tif 000008